(57)【要約】【課題】照明構造を有し、かつ、意匠性の高い操作装置を提供する。【解決手段】操作装置１００は、回転操作可能に設けられ、回転中心に挿通孔１０４ａを有したダイヤルノブ１０４と、挿通孔１０４ａ内に配置され、押圧操作可能に設けられたプッシュノブ１０６と、プッシュノブ１０６と一体に形成された加飾部材１０７と、ＬＥＤ１０１ａを有する基板１０１と、を備え、加飾部材１０７の少なくとも一部を照射するようにＬＥＤ１０１ａから発せられた光を導く導光部として導光空間部Ｌを有する。【選択図】図４
2016103389.tif 000002
【特許請求の範囲】
【請求項１】
回転操作可能に設けられ、回転中心に挿通孔を有した回転操作部材と、
前記挿通孔内に配置され、押圧操作可能に設けられた押圧操作部材と、
前記押圧操作部材と一体に形成された加飾部材と、
光源を有する基板と、
を備え、
前記加飾部材の少なくとも一部を照射するように前記光源から発せられた光を導く導光部を有する操作装置。
【請求項２】
請求項１に記載の操作装置において、
前記導光部は、前記回転操作部材の内壁面に設けられた光反射部を有すること、
を特徴とする操作装置。
【請求項３】
請求項１又は請求項２に記載の操作装置において、
前記導光部は、前記回転操作部材の内壁面に沿って設けられた導光部材を有すること、
を特徴とする操作装置。
【請求項４】
請求項１から請求項３までのいずれか１項に記載の操作装置において、
前記加飾部材の少なくとも一部は、透光性を有する材料により被覆されていること、
を特徴とする操作装置。
【請求項５】
請求項１に記載の操作装置において、
前記押圧操作部材は、透光性を有する部材により形成されており、
前記押圧操作部材は、前記光源から発せられた光がその内部を透過して前記加飾部材の少なくとも一部に導くことにより、前記導光部としての機能を兼ねること、
を特徴とする操作装置。
【請求項６】
請求項１から請求項５までのいずれか１項に記載の操作装置において、
前記加飾部材は、貝殻をスライスした板状部材であり、前記押圧操作部材に貼付、又は、成形により一体に形成されていること、
を特徴とする操作装置。
【発明の詳細な説明】
【技術分野】
【０００１】
本発明は、回転操作と押圧操作とが可能な操作装置に関するものである。
【背景技術】
【０００２】
車両用の空調操作装置等のスイッチとして用いられる操作部として、例えば、特許文献１に開示されているような回転操作と押圧操作とが可能なものが知られている。従来、このような操作部には、合成樹脂が用いられている。これらスイッチ操作部の意匠性を向上するため、樹脂へ塗装を施したり、水圧転写フィルム等により加飾したりする等の技術が知られている。
【０００３】
しかし、上述したように加飾された操作部は、高級感や、本物感という点が乏しいものであった。
一方、高級感や本物感を高めた部材は、従来から各種存在する。しかし、車両に用いられる操作装置は、操作ポジションをコーザーに標示するための標示部分に照明が用いられる。また、車両に用いられる操作装置は、夜間に視認性を向上させるための照明が用いられている。このように、車両に用いられる操作装置には、照明構造が必要であるが、従来の高級感や本物感を高めた部材に対しては、照明構造を付与することが難しかった。
【先行技術文献】
【特許文献】
【０００４】
【特許文献１】特開２００４−３０３６８４号公報
【発明の概要】
【発明が解決しようとする課題】
【０００５】
本発明の課題は、照明構造を有し、かつ、意匠性の高い操作装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、回転操作可能に設けられ、回転中心に挿通孔（１０４ａ）を有した回転操作部材（１０４，２０４，３０４，４０４）と、前記挿通孔（１０４ａ）内に配置され、押圧操作可能に設けられた押圧操作部材（１０６，２０６，３０６，４０６）と、前記押圧操作部材（１０６，２０６，３０６，４０６）と一体に形成された加飾部材（１０７，２０７，３０７，４０７）と、光源（１０１ａ，２０１ａ，３０１ａ，４０１ａ）を有する基板（１０１，２０１，３０１，４０１）と、を備え、前記加飾部材（１０７，２０７，３０７，４０７）の少なくとも一部を照射するように前記光源から発せられた光を導く導光部（Ｌ，２０８，３０８，４０６）を有する操作装置（１００，２００，３００，４００）である。
【０００７】
請求項２の発明は、請求項１に記載の操作装置において、前記導光部は、前記回転操作部材（１０４）の内壁面（１０４ｃ）に設けられた光反射部（１０４ｃ）を有すること、を特徴とする操作装置（１００）である。
【０００８】
請求項３の発明は、請求項１又は請求項２に記載の操作装置において、前記導光部は、前記回転操作部材（２０４，３０４）の内壁面（２０４ｃ，３０４ｃ）に沿って設けられた導光部材（２０８，３０８）を有すること、を特徴とする操作装置（２００，３００）である。
【０００９】
請求項４の発明は、請求項１から請求項３までのいずれか１項に記載の操作装置において、前記加飾部材（３０７）の少なくとも一部は、透光性を有する材料（３１０）により被覆されていること、を特徴とする操作装置（３００）である。
【００１０】
請求項５の発明は、請求項１に記載の操作装置において、前記押圧操作部材（４０６）は、透光性を有する部材により形成されており、前記押圧操作部材（４０６）は、前記光源（４０１ａ）から発せられた光がその内部を透過して前記加飾部材（４０７）の少なくとも一部に導くことにより、前記導光部（４０６）としての機能を兼ねること、を特徴とする操作装置（４００）である。
【００１１】
請求項６の発明は、請求項１から請求項５までのいずれか１項に記載の操作装置において、前記加飾部材（１０７，２０７，３０７，４０７）は、貝殻をスライスした板状部材であり、前記押圧操作部材（１０６，２０６，３０６，４０６）に貼付、又は、成形により一体に形成されていること、を特徴とする操作装置（１００，２００，３００，４００）である。
【発明の効果】
【００１２】
本発明によれば、照明構造を有し、かつ、意匠性の高い操作装置を提供することができる。
【図面の簡単な説明】
【００１３】
【図１】本発明による操作装置１００の第１実施形態を示す分解斜視図である。
【図２】操作装置１００の外観を示す斜視図である。
【図３】操作装置１００の外観を正面から見た図である。
【図４】操作装置１００を図３中の矢印Ａ−Ａで切断した断面図である。
【図５】第２実施形態の操作装置２００を第１実施形態の図４と同様な位置で切断した断面図である。
【図６】第３実施形態の操作装置３００を第２実施形態の図５と同様な位置で切断した断面図である。
【図７】第４実施形態の操作装置４００を第１実施形態の図４と同様な位置で切断した断面図である。
【発明を実施するための形態】
【００１４】
以下、本発明を実施するための最良の形態について図面等を参照して説明する。
【００１５】
（第１実施形態）
図１は、本発明による操作装置１００の第１実施形態を示す分解斜視図である。
図２は、操作装置１００の外観を示す斜視図である。
図３は、操作装置１００の外観を正面から見た図である。
図４は、操作装置１００を図３中の矢印Ａ−Ａで切断した断面図である。
なお、図これらの各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００１６】
第１実施形態の操作装置１００は、基板１０１と、ケース１０２と、ロータ１０３と、ダイヤルノブ１０４と、クリック機構１０５と、プッシュノブ１０６と、加飾部材１０７と、パネル１０９とを備えており、回転操作と押圧操作とが可能なロータリープッシュスイッチである。
【００１７】
基板１０１は、所定の回路を構成するための印刷パターンを両面に設けたものであり、ケース１０２が設けられる面には、ＬＥＤ（光源）１０１ａと，押圧検出スイッチ１０１ｂと、回転検出スイッチ１０１ｃとが配置されている。基板１０１は、不図示のねじ等の締結部材を用いて、ケース１０２に対して固定されている。
【００１８】
ＬＥＤ（光源）１０１ａは、夜間等に発光して、ＬＥＤ１０１ａが発した光は、後述の加飾部材１０７へと導かれて、加飾部材１０７が照明される。
第１実施形態のＬＥＤ１０１ａは、後述の導光空間部Ｌに光を照射できる位置に合計４つ配置されている。
【００１９】
押圧検出スイッチ１０１ｂは、後述のプッシュノブ１０６に設けられた突起部が接触可能な位置に配置されており、プッシュノブ１０６が押圧操作されたときに、突起部により押されて、押圧操作を検出する。
【００２０】
回転検出スイッチ１０１ｃは、後述のロータ１０３に設けられた検出突起１０３ａが接触可能な位置に配置されている。ロータ１０３が回転したときには、検出突起１０３ａが円周方向に沿って移動しながら回転検出スイッチ１０１ｃの先端の検出片に次々に接触して、検出片が揺動させられる。これにより、回転検出スイッチ１０１ｃは、ロータ１０３の回転方向と回転量とを検出する。
【００２１】
ケース１０２は、略円筒形状に形成されており、第１ガイド部１０２ａと、第２ガイド部１０２ｂと、遮光壁１０２ｃと、嵌合部１０２ｄとを有している。
【００２２】
第１ガイド部１０２ａは、ケース１０２の中央にプッシュノブ１０６の作動方向に沿って立設されている。第１ガイド部１０２ａは、プッシュノブ１０６と嵌合して、プッシュノブ１０６を基板１０１に対して垂直な方向に直進移動可能にガイドする。
【００２３】
第２ガイド部１０２ｂは、第１ガイド部１０２ａの周囲に円筒状に形成されている。第２ガイド部１０２ｂは、ロータ１０３と嵌合して、ロータ１０３をプッシュノブ１０６の周りで回転可能なようにガイドする。
【００２４】
遮光壁１０２ｃは、第２ガイド部１０２ｂよりもさらに外周に円筒状に形成されている。遮光壁１０２ｃは、後述のダイヤルノブ１０４の遮光壁１０４ｂと嵌合しており、ＬＥＤ１０１ａからの光がダイヤルノブ１０４の周囲へ漏れることを防止している。
【００２５】
嵌合部１０２ｄは、ケース１０２の最外周に円筒状に形成されており、パネル１０９と嵌合している。
【００２６】
ロータ１０３は、略円筒形状に形成されており、ケース１０２の第２ガイド部１０２ｂと嵌合して、第２ガイド部１０２ｂの周りを回転角度の制限がない状態で回転可能に取付けられている。ロータ１０３の基板側端部には、検出突起１０３ａが円周方向に沿って多数並んで配置されている。また、ロータ１０３には、不図示の凹凸形状が円周方向に沿って多数並んで配置されている。この凹凸形状には、後述のクリック機構１０５のボール１０５ａが、ばね１０５ｂにより付勢されて当て付いており、ロータ１０３の回転時に節度感（クリック感）を与える。
【００２７】
ダイヤルノブ１０４は、回転中心に挿通孔１０４ａを有した回転操作部材であって、略円筒形状に形成されている。ダイヤルノブ１０４は、ロータ１０３と一体となって回転するようにロータ１０３に対して固定されている。本実施形態のダイヤルノブ１０４は、利用者によって回転操作されると、空調の温度設定値を変更できるようになっている。
ダイヤルノブ１０４の内壁面１０４ｃとロータ１０３との間には、導光空間部（導光部）Ｌがダイヤルノブ１０４とロータ１０３とを繋いでいる部分を除いて円周方向に多数並べて配置されている。この導光空間部Ｌは、ＬＥＤ１０１ａが発光した光を加飾部材１０７の表面まで導くように図４中の上下方向において連続するように形成されている。また、内壁面１０４ｃは、光の反射率を高くするように光反射部として形成されている。この光反射部としては、メッキ、塗装、蒸着等が利用可能である。また、この光反射部は、内壁面１０４ｃのみに形成してもよいし、ダイヤルノブ１０４の全体に形成してもよい。
また、ダイヤルノブ１０４には、外周方向に突出し円周方向に沿って延在する遮光壁１０４ｂが設けられている。上述したように、この遮光壁１０４ｂは、遮光壁１０２ｃと嵌合して光漏れを防いでいる。
【００２８】
クリック機構１０５は、ボール１０５ａと、スプリング１０５ｂとを有しており、ケース１０２とロータ１０３との間に、スプリング１０５ｂをチャージした形態で設けられている。ボール１０５ａは、ロータ１０３の不図示の凹凸形状に対してスプリング１０５ｂの付勢力によって当て付けられており、ロータ１０３の回転時に節度感（クリック感）を与える。
【００２９】
プッシュノブ（押圧操作部）１０６は、第１ガイド部１０２ａと嵌合して、基板１０１に対して垂直な方向に直進移動可能なように、ダイヤルノブ１０４の挿通孔１０４ａ内に配置されている。プッシュノブ１０６は、不図示の突起部を有しており、プッシュノブ１０６が利用者によって押圧操作されると、その操作が突起部により押圧検出スイッチ１０１ｂに伝えられる。本実施形態のプッシュノブ１０６は、利用者によって押圧操作されると、空調のＡＵＴＯ機能のＯＮ／ＯＦＦの切り替えができるようになっている。なお、ＡＵＴＯ機能とは、温度、風量、吹き出し口（デフロスターを除く）が自動調節され、車内を常に快適な状態に保つ機能である。
プッシュノブ１０６は、図４中の上方（利用者側）に不図示の付勢部材によって付勢されている。
【００３０】
加飾部材１０７は、プッシュノブ１０６の前面（図４における上面）に両面テープ等の貼付部材１０７ｂによって、プッシュノブ１０６と一体となるように固定されている。本実施形態の加飾部材１０７は、樹脂成型品では得ることができない上質な意匠性を得るために、貝殻を薄くスライスした板状部材により構成されている。具体的には、加飾部材１０７には、高級感があり上質の天然素材として白蝶貝を、厚さ０．１ｍｍ〜０．４７ｍｍ程度に薄くスライスして利用している。このような材料を用いることにより、加飾部材１０７は、光の照射による意匠面の光沢が良好であり、また、光を透過させることもできるので、独特の質感を得ることができる。
加飾部材１０７の表面には、標示部１０７ａがタンポ（パッド）印刷等により形成されている。本実施形態の標示部１０７ａは、「ＡＵＴＯ」の文字と、回転操作方向を示す矢印とを標示している。
また、利用者がプッシュノブ１０６（加飾部材１０７）を押圧していない状態においても、加飾部材１０７とダイヤルノブ１０４との間には、僅かな隙間が空くように、ダイヤルノブ１０４の加飾部材１０７との接触部分には、不図示の小突起が設けられている。そして、この隙間を通してＬＥＤ１０１ａからの光が加飾部材１０７の表面を照射する。
【００３１】
パネル１０９は、ダイヤルノブ１０４が貫通する貫通穴１０９ａを有している。また、パネル１０９には、嵌合部１０９ｂが形成されており、この嵌合部１０９ｂにケース１０２の嵌合部１０２ｄが嵌合している。
【００３２】
上述した構成によって、本実施形態の操作装置１００は、ＬＥＤ１０１ａから発せられた光を、導光部材を用いずに、反射を用いて、加飾部材１０７の表面（意匠面）に導出することが可能である。ＬＥＤ１０１ａから発せられた光は、ケース１０２の空間と、ロータ１０３とダイヤルノブ１０４と間の導光空間部（導光部）Ｌを壁面に反射しながら通過し、ダイヤルノブ１０４の先端から外部に導出され、加飾部材１０７の表面を照射する。
【００３３】
なお、本実施形態では、光は、加飾部材１０７を透過せず、上記部材間を反射して伝わり、最終的にはダイヤルノブ１０４と加飾部材１０７との隙間から導出する。そのため、各部材、特にダイヤルノブ１０４は、光をよく反射することが望ましく、樹脂にめっき加工や光反射性のよい塗料による塗装等によって光反射部を形成したが、ケース１０２及びロータ１０３にも光反射部を形成してもよい。
【００３４】
以上説明したように、第１実施形態によれば、ダイヤルノブ１０４の内壁面１０４ｃとロータ１０３との間に形成された導光空間部（導光部）Ｌにより、ＬＥＤ１０１ａが発光した光を加飾部材１０７の表面まで導くようにした。よって、加飾部材１０７が輝き、視認性、及び、意匠性を向上することができる。
また、中心にプッシュノブ１０６を配するダイヤルノブ１０４の内壁面１０４ｃを反射して光を導く構造としたため、軸中心部分に照明部材及び導光部材を配置するスペースの余裕がない場合であっても、光を加飾部材１０７に導くことが可能となる。
さらに、ダイヤルノブ１０４の内壁面１０４ｃに光反射部を形成したので、ＬＥＤ１０１ａから照射された光を加飾部材１０７に、効率よく、ロスを少なく導くことができる。
さらにまた、加飾部材１０７は、スライスした貝殻からなる板状部材により形成されている。これにより、上質で光沢のある意匠面とすることができ、また光を透過することも可能である。ここで天然素材である貝殻を使用しているのは、高級腕時計の文字盤や高級文房具等に使用されており、世間一般として高級材料として認知されている材料であるため、車両の操作装置の加飾部材として利用することにより付加価値を高める狙いがある。よって、高級感、本物感のある操作装置を提供することが可能となる。
【００３５】
（第２実施形態）
図５は、第２実施形態の操作装置２００を第１実施形態の図４と同様な位置で切断した断面図である。
第２実施形態の操作装置２００は、導光部として導光部材２０８を有している他は、第１実施形態の操作装置１００と略同様な形態をしている。よって、前述した第１実施形態と同様の機能を果たす部分には、末尾に同一の符号を付して、重複する説明を適宜省略する。
【００３６】
第２実施形態の操作装置２００は、基板２０１と、ケース２０２と、ロータ２０３と、ダイヤルノブ２０４と、クリック機構２０５（不図示）と、プッシュノブ２０６と、加飾部材２０７と、導光部材２０８と、パネル２０９とを備えている。
基板２０１と、ケース２０２と、ロータ２０３とは、それぞれ、第１実施形態のケース１０２と、ロータ１０３と略同様な形態をしている。
ダイヤルノブ２０４は、第１実施形態のダイヤルノブ１０４と略同様な形態をしているが、その内壁面２０４ｃに、導光部材２０８が取付けられている。
クリック機構２０５と、プッシュノブ２０６と、加飾部材２０７と、パネル２０９とは、それぞれ、第１実施形態のクリック機構１０５と、プッシュノブ１０６と、加飾部材１０７と、パネル１０９と略同様な形態をしている。
【００３７】
導光部材（導光部）２０８は、第１実施形態の導光空間部Ｌに相当する部分に、ダイヤルノブ２０４の内壁面２０４ｃに沿って設けられており、透光性を備える透明な樹脂により形成されている。導光部材２０８は、ロータ２０３の内壁面にロータ２０３と一体となるように設けられている。よって、導光部材２０８は、ロータ２０３とともに回転する。なお、本実施形態では、導光部材２０８は、ロータ２０３とともに回転するように構成したが、導光部材２０８をケース２０２に対して固定するようにしてもよい。
導光部材２０８には、ＬＥＤ２０１ａに近い位置に設けられた入光部２０８ａから、ＬＥＤ２０１ａの光が入射する。そして、この入射した光は、導光部材２０８の内部を通って、加飾部材２０７に向かって形成された出光部２０８ｂから出射して、加飾部材２０７の表面を照射する。導光部材２０８内を伝わる光は、全反射によって導かれるので効率よく光を伝達することができる。なお、ダイヤルノブ２０４の内壁面２０４ｃには、第１実施形態と同様に光反射部が形成されている。この光反射部によって、導光部材２０８から漏れてしまった光を再度導光部材２０８内へ戻すことができる。
【００３８】
以上説明したように、第２実施形態によれば、導光部材２０８をさらに設けたことにより、第１実施形態よりもさらに効率よく光を加飾部材２０７へ導くことができる。
【００３９】
（第３実施形態）
図６は、第３実施形態の操作装置３００を第２実施形態の図５と同様な位置で切断した断面図である。
第３実施形態の操作装置３００は、加飾部材３０７の表面側にさらに被覆部３１０を設けた他は、第２実施形態の操作装置２００と略同様な形態をしている。よって、前述した第２実施形態と同様の機能を果たす部分には、末尾に同一の符号を付して、重複する説明を適宜省略する。
【００４０】
第３実施形態の操作装置３００は、基板３０１と、ケース３０２と、ロータ３０３と、ダイヤルノブ３０４と、クリック機構３０５（不図示）と、プッシュノブ３０６と、加飾部材３０７と、導光部材（導光部）３０８と、パネル３０９と、被覆部３１０とを備えている。
基板３０１と、ケース３０２と、ロータ３０３と、ダイヤルノブ３０４と、クリック機構３０５と、プッシュノブ３０６と、加飾部材３０７と、導光部材３０８と、パネル３０９とは、それぞれ、第２実施形態の基板２０１と、ケース２０２と、ロータ２０３と、ダイヤルノブ２０４と、クリック機構２０５と、プッシュノブ２０６と、加飾部材２０７と、導光部材２０８と、パネル２０９と略同様な形態をしている。
【００４１】
被覆部３１０は、加飾部材３０７の表面を被覆するように、透光性の樹脂（例えばポリカーボネート）を用いて形成されている。
ＬＥＤ３０１ａから発せられた光は、導光部材３０８により導かれ、スイッチ外に導出され、加飾部材３０７の表面側に照射される。ここで、透光性を有する被覆部３１０が加飾部材３０７の表面を被覆しているので、光は、被覆部３１０の表面、及び、被覆部３１０内に導かれ、加飾部材３０７の表面（意匠面）に到達する。これにより、加飾部材３０７が輝き、視認性、意匠性が向上するとともに、加飾部材（貝殻）３０７を保護して破損を防ぐことができる。
【００４２】
なお、本実施形態では、プッシュノブ３０６と、被覆部３１０とを別々のものとして形成しており、プッシュノブ３０６と被覆部３１０との間に加飾部材（貝殻）３０７を挟み込んで固定している。しかし、プッシュノブ３０６と被覆部３１０と加飾部材３０７とを一体成形により形成してもよく、この一体化の手法としては、両面テープ、インサート成形等、一体に形成できる技術であればどのような手法を用いてもよい。
【００４３】
以上説明したように、第３実施形態によれば、加飾部材３０７の表面（意匠面）を透光材で形成された被覆部３１０により被覆したので、光を意匠面により均一に照射することができる。また、加飾部材３０７を保護することができるので、加飾部材３０７が外部からの物体の衝撃等によって破損することを防止できる。
【００４４】
（第４実施形態）
図７は、第４実施形態の操作装置４００を第１実施形態の図４と同様な位置で切断した断面図である。
第４実施形態の操作装置４００は、プッシュノブ４０６が、導光部としての機能を兼ねるようにして、ＬＥＤ４０１ａから発せられた光がプッシュノブ４０６の内部を透過して加飾部材４０７の少なくとも一部に導き、加飾部材４０７を照射及び／又は透過するようにした点が、第１実施形態と異なっている。よって、前述した第１実施形態と同様の機能を果たす部分には、末尾に同一の符号を付して、重複する説明を適宜省略する。
【００４５】
第４実施形態の操作装置４００は、基板４０１と、ケース４０２と、ロータ４０３と、ダイヤルノブ４０４と、クリック機構４０５（不図示）と、プッシュノブ４０６と、加飾部材４０７と、パネル４０９とを備えている。
基板４０１と、ロータ４０３と、ダイヤルノブ４０４と、クリック機構４０５と、プッシュノブ４０６と、加飾部材４０７と、パネル４０９とは、それぞれ、第１実施形態の基板１０１と、ロータ１０３と、ダイヤルノブ１０４と、クリック機構１０５と、加飾部材１０７と、パネル１０９と略同様な形態をしている。
【００４６】
プッシュノブ４０６は、透光性の樹脂（例えばポリカーボネート）を用いて形成されている。
ＬＥＤ４０１ａは、第１実施形態とは異なり、プッシュノブ４０６の中央に光を照射できる位置に配置されている。
ケース４０２は、ＬＥＤ４０１ａが発光した光がプッシュノブ４０６へ到達することを遮らないように、中央付近が開口されている点が、第１実施形態のケース１０２と異なっている。
本実施形態では、ＬＥＤ４０１ａがケース４０２によって囲まれており、光はダイヤルノブ４０４の中心からしか導出されないため、第１実施形態のような周辺部位からの光漏れ防止構造は必要としない。また、ダイヤルノブ４０４には、光反射部を設ける必要はない。
さらに、本実施形態の加飾部材４０７をプッシュノブ４０６に対して貼り付けるために用いる貼付部材４０７ｂには、透光性の高いものを用いている。
【００４７】
上述したように、第４実施形態では、プッシュノブ４０６を透光性の樹脂を用いて形成し、加飾部材４０７を両面テープやインサート成形等により一体化している。そして第４実施形態では、プッシュノブ４０６自体を導光部として機能させて、ＬＥＤ４０１ａから発せられた光を、プッシュノブ４０６内で導光させ、かつ、透過させて、加飾部材４０７の裏面（図７の下面）に照射して、加飾部材４０７内を透過させることにより、加飾部材４０７の表面（意匠面）を全体的に発光させる。また、ＬＥＤ４０１ａから発せられた光は、直進してプッシュノブ４０６と加飾部材４０７を透過するだけではなく、プッシュノブ４０６の周辺部位によっても導光されて加飾部材４０７に到達し、加飾部材４０７を透過してスイッチ外に導出される。
【００４８】
以上説明したように、第４実施形態によれば、加飾部材４０７の裏面から表面に光を透過させることで、加飾部材４０７の全体が輝き、視認性及び意匠性を向上できる。本実施形態の構成は、軸中心部分にスペースの余裕がある場合に特に有効である。また、プッシュノブ４０６が導光部を兼ねる構成であるため、部品点数の削減と省スペース化が可能である。
【００４９】
（変形形態）
以上説明した実施形態に限定されることなく、種々の変形や変更が可能であって、それらも本発明の範囲内である。
【００５０】
（１）各実施形態において、加飾部材には、白蝶貝を用いる例を挙げて説明した。これに限らず、例えば、加飾部材には、黒蝶貝等の他の種類の貝殻を用いてもよいし、貝殻に限らず、木材や皮革、大理石等の他の素材を用いてもよい。また、加飾部材の厚さも、例示した厚さに限るものではない。
【００５１】
（２）各実施形態において、加飾部材の表面に標示部を設けた例を挙げて説明したが、標示部のない加飾部材としてもよい。
【００５２】
（３）各実施形態において、両面テープ等の貼付部材を用いて加飾部材とプッシュノブとを一体に形成した例を挙げて説明した。これに限らず、例えば、インサート成形等、他の手法を用いて加飾部材とプッシュノブとを一体に形成してもよい。
【００５３】
（４）各実施形態において、空調の操作に用いる操作装置を例に挙げて説明したが、操作装置の操作対象はどのようなものであってもよい。
【００５４】
なお、各実施形態及び変形形態は、適宜組み合わせて用いることもできるが、詳細な説明は省略する。また、本発明は以上説明した各実施形態によって限定されることはない。
【符号の説明】
【００５５】
Ｌ        導光空間部
１００    操作装置
１０１    基板
１０１ａ  ＬＥＤ
１０１ｂ  押圧検出スイッチ
１０１ｃ  回転検出スイッチ
１０２    ケース
１０２ａ  第１ガイド部
１０２ｂ  第２ガイド部
１０２ｃ  遮光壁
１０２ｄ  嵌合部
１０３    ロータ
１０３ａ  検出突起
１０４    ダイヤルノブ
１０４ａ  挿通孔
１０４ｂ  遮光壁
１０４ｃ  内壁面
１０５    クリック機構
１０５ａ  ボール
１０５ｂ  スプリング
１０６    プッシュノブ
１０７    加飾部材
１０７ａ  標示部
１０７ｂ  貼付部材
１０９    パネル
１０９ａ  貫通穴
１０９ｂ  嵌合部
２００    操作装置
２０１    基板
２０１ａ  ＬＥＤ
２０２    ケース
２０３    ロータ
２０４    ダイヤルノブ
２０４ｃ  内壁面
２０５    クリック機構
２０６    プッシュノブ
２０７    加飾部材
２０８    導光部材
２０８ａ  入光部
２０８ｂ  出光部
２０９    パネル
３００    操作装置
３０１    基板
３０１ａ  ＬＥＤ
３０２    ケース
３０３    ロータ
３０４    ダイヤルノブ
３０５    クリック機構
３０６    プッシュノブ
３０７    加飾部材
３０８    導光部材
３０９    パネル
３１０    被覆部
４００    操作装置
４０１    基板
４０１ａ  ＬＥＤ
４０２    ケース
４０３    ロータ
４０４    ダイヤルノブ
４０５    クリック機構
４０６    プッシュノブ
４０７    加飾部材
４０７ｂ  貼付部材
４０９    パネル
【図１】
2016103389.tif 000003
【図２】
2016103389.tif 000004
【図３】
2016103389.tif 000005
【図４】
2016103389.tif 000006
【図５】
2016103389.tif 000007
【図６】
2016103389.tif 000008
【図７】
2016103389.tif 000009